(57)【特許請求の範囲】
【請求項１】
カラーモニターのカラーマッチング処理を行うカラーマッチング手段と、
該カラーマッチング処理が行われたカラーモニターに複数の色覚検査用画像を順次表示させてなる表示工程を少なくとも１つ実施する画像表示制御手段と、
を備え、
該画像表示制御手段は、前記１つの表示工程において前記複数の色覚検査用画像を表示する際に、各色覚検査用画像の表示時間が徐々に長くなるように該表示時間を第１要素として変化させ、或いは、該表示時間を固定にした状態で各色覚検査用画像の色相、明度、彩度、及び、前記色覚検査用画像を背景画像と該背景画像中に表示した視標とにより構成した場合の該背景又は視標の明度の５つの要素の内の１つの要素を第１要素として変化させてなる、
ことを特徴とする色覚検査装置。
【請求項２】
前記画像表示制御手段は、前記カラーマッチング処理が行われたカラーモニターに複数の色覚検査用画像を順次表示させてなる第１表示工程、及び該カラーモニターに複数の色覚検査用画像を順次表示させる第２表示工程の少なくとも２つの表示工程を実施し、
該画像表示制御手段は、各表示工程において各色覚検査用画像を表示する際に前記第１要素を変化させ、各色覚検査用画像の色相、明度、彩度、表示時間、及び、前記色覚検査用画像を背景画像と該背景画像中に表示した視標とにより構成した場合の該背景又は視標の明度の６つの要素の内の前記第１要素以外の１つの要素である第２要素を前記第１表示工程と前記第２表示工程とで段階的に変化させ、該第１要素及び第２要素以外の４つの要素を前記第１表示工程及び前記第２表示工程に掛けて固定してなる、
ことを特徴とする請求項１に記載の色覚検査装置。
【請求項３】
前記画像表示制御手段は、各色覚検査用画像の表示時間を制御する表示時間制御部を有する、
ことを特徴とする請求項１又は２に記載の色覚検査装置。
【請求項４】
表示した色覚検査用画像の種類、表示した色覚検査用画像に使用されている色の組み合わせ情報、色覚検査用画像を被検者が認識できたかの結果、及び色覚検査用画像の表示時間を表示する検査結果表示手段、
を備えたことを特徴とする請求項１乃至３のいずれか１項に記載の色覚検査装置。
【請求項５】
複数の色覚検査用画像を保存している画像データ保存手段、を備え、
前記画像表示制御手段は、該画像データ保存手段に保存されている色覚検査用画像を表示する、
ことを特徴とする請求項１乃至４のいずれか１項に記載の色覚検査装置。
【請求項６】
表示すべき色覚検査用画像を作成できる画像作成手段、を備え、
前記画像表示制御手段は、該画像作成手段により作成された色覚検査用画像を表示する、
ことを特徴とする請求項１乃至４のいずれか１項に記載の色覚検査装置。
【請求項７】
複数の色覚検査用画像を保存する画像データ保存手段、を備え、
前記画像データ保存手段には、前記画像作成手段により作成された色覚検査用画像が一時保存される、
ことを特徴とする請求項６に記載の色覚検査装置。
【請求項８】
前記画像表示制御手段は、色覚検査用画像を切り替える間にグレー色の画像を一定時間だけ前記カラーモニターに表示させる、
ことを特徴とする請求項１乃至７のいずれか１項に記載の色覚検査装置。
【請求項９】
複数の被検者（以下、“被検者群”とする）に対して行った色覚検査の検査結果を統計データとして算出する統計データ算出手段と、
被検者群から得た複数の統計データを累積データとして保存する累積データ保存手段と、
ある被検者に対して行った色覚検査の検査結果を前記累積データと比較するデータ比較手段と、
を備えたことを特徴とする請求項１乃至８のいずれか１項に記載の色覚検査装置。
【請求項１０】
コンピュータを制御する制御プログラムにおいて、
該コンピュータを、
カラーモニターのカラーマッチング処理を行うカラーマッチング手段、及び、
該カラーマッチング処理が行われたカラーモニターに複数の色覚検査用画像を順次表示させてなる表示工程を少なくとも１つ実施する画像表示制御手段、
として機能させ、かつ、
該画像表示制御手段が、前記１つの表示工程において前記複数の色覚検査用画像を表示する際に、各色覚検査用画像の表示時間が徐々に長くなるように該表示時間を第１要素として変化させ、或いは、該表示時間を固定にした状態で各色覚検査用画像の色相、明度、彩度、及び、前記色覚検査用画像を背景画像と該背景画像中に表示した視標とにより構成した場合の該背景又は視標の明度の５つの要素の内の１つの要素を第１要素として変化させてなる、
ように機能させることを特徴とする制御プログラム。
【請求項１１】
前記画像表示制御手段は、前記カラーマッチング処理が行われたカラーモニターに複数の色覚検査用画像を順次表示させてなる第１表示工程、及び該カラーモニターに複数の色覚検査用画像を順次表示させる第２表示工程の少なくとも２つの表示工程を実施し、
該画像表示制御手段は、各表示工程において各色覚検査用画像を表示する際に前記第１要素を変化させ、各色覚検査用画像の色相、明度、彩度、表示時間、及び、前記色覚検査用画像を背景画像と該背景画像中に表示した視標とにより構成した場合の該背景又は視標の明度の６つの要素の内の前記第１要素以外の１つの要素である第２要素を前記第１表示工程と前記第２表示工程とで段階的に変化させ、該第１要素及び第２要素以外の４つの要素を前記第１表示工程及び前記第２表示工程に掛けて固定してなる、
ように機能させることを特徴とする請求項１０に記載の制御プログラム。
【請求項１２】
被検者群に対して行った色覚検査の検査結果を統計データとして算出する統計データ算出手段、
被検者群から得た複数の統計データを累積データとして保存する累積データ保存手段、及び、
ある被検者に対して行った色覚検査の検査結果を前記累積データと比較するデータ比較手段、
として機能させることを特徴とする請求項１０又は１１に記載の制御プログラム。
【請求項１３】
カラーマッチング手段がカラーモニターのカラーマッチング処理を行う工程と、
該カラーマッチング処理が行われたカラーモニターに画像表示制御手段が複数の色覚検査用画像を順次表示させてなる表示工程を少なくとも１つ実施する工程と、
を備え、
該画像表示制御手段は、前記１つの表示工程において前記複数の色覚検査用画像を表示する際に、各色覚検査用画像の表示時間が徐々に長くなるように該表示時間を第１要素として変化させ、或いは、該表示時間を固定にした状態で各色覚検査用画像の色相、明度、彩度、及び、前記色覚検査用画像を背景画像と該背景画像中に表示した視標とにより構成した場合の該背景又は視標の明度の５つの要素の内の１つの要素を第１要素として変化させてなる、
ことを特徴とする、色覚検査装置の制御方法。
【請求項１４】
前記画像表示制御手段は、前記カラーマッチング処理が行われたカラーモニターに複数の色覚検査用画像を順次表示させてなる第１表示工程、及び該カラーモニターに複数の色覚検査用画像を順次表示させる第２表示工程の少なくとも２つの表示工程を実施し、
該画像表示制御手段は、各表示工程において各色覚検査用画像を表示する際に前記第１要素を変化させ、各色覚検査用画像の色相、明度、彩度、表示時間、及び、前記色覚検査用画像を背景画像と該背景画像中に表示した視標とにより構成した場合の該背景又は視標の明度の６つの要素の内の前記第１要素以外の１つの要素である第２要素を前記第１表示工程と前記第２表示工程とで段階的に変化させ、該第１要素及び第２要素以外の４つの要素を前記第１表示工程及び前記第２表示工程に掛けて固定してなる、
ことを特徴とする請求項１３に記載の、色覚検査装置の制御方法。
【請求項１５】
被検者群に対して行った色覚検査の検査結果を統計データ算出手段が統計データとして算出する工程と、
被検者群から得た複数の統計データを累積データ保存手段が累積データとして保存する工程と、
ある被検者に対して行った色覚検査の検査結果をデータ比較手段が前記累積データと比較する工程と、
を備えたことを特徴とする請求項１３又は１４に記載の、色覚検査装置の制御方法。
【請求項１６】
前記色覚検査用画像は、文字や、数字や、ランドルト環の図形を背景中に表した画像である、
ことを特徴とする請求項１乃至９のいずれか１項に記載の色覚検査装置。
【請求項１７】
前記色覚検査用画像は、文字や、数字や、ランドルト環の図形を背景中に表した画像である、
ことを特徴とする請求項１０乃至１２のいずれか１項に記載の制御プログラム。
【請求項１８】
前記色覚検査用画像は、文字や、数字や、ランドルト環の図形を背景中に表した画像である、
ことを特徴とする請求項１３乃至１５のいずれか１項に記載の、色覚検査装置の制御方法。
【請求項１９】
前記色覚検査用画像の表示時間を前記第１要素として変化させるか、前記色覚検査用画像の色相を前記第１要素として変化させるか、前記色覚検査用画像の明度を前記第１要素として変化させるか、前記色覚検査用画像の彩度を前記第１要素として変化させるか、前記背景又は前記視標の明度を前記第１要素として変化させるかが選択可能である、
ことを特徴とする請求項１乃至９のいずれか１項に記載の色覚検査装置。
【請求項２０】
前記色覚検査用画像の表示時間を前記第１要素として変化させるか、前記色覚検査用画像の色相を前記第１要素として変化させるか、前記色覚検査用画像の明度を前記第１要素として変化させるか、前記色覚検査用画像の彩度を前記第１要素として変化させるか、前記背景又は前記視標の明度を前記第１要素として変化させるかが選択可能である、
ことを特徴とする請求項１０乃至１２のいずれか１項に記載の制御プログラム。
【請求項２１】
前記色覚検査用画像の表示時間を前記第１要素として変化させるか、前記色覚検査用画像の色相を前記第１要素として変化させるか、前記色覚検査用画像の明度を前記第１要素として変化させるか、前記色覚検査用画像の彩度を前記第１要素として変化させるか、前記背景又は前記視標の明度を前記第１要素として変化させるかが選択可能である、
ことを特徴とする請求項１３乃至１５のいずれか１項に記載の、色覚検査装置の制御方法。
【発明の詳細な説明】
【技術分野】
【０００１】
本発明は、複数の色覚検査用画像をカラーモニターに順次表示させる色覚検査装置、制御プログラム、及び前記色覚検査装置の制御方法に関する。
【背景技術】
【０００２】
従来の色覚検査は、本やカードにカラープリントされている色覚検査表（例えば、石原式色覚検査表）を検者が被検者に呈示して、該検査表に表わされている視標（文字や、数字や、ランドルト環などの図形等）を被検者が視認できるかどうかを調べるという検査であった（例えば、非特許文献１参照。）。
【先行技術文献】
【非特許文献】
【０００３】
【非特許文献１】石原式色覚異常検査表３８表国際版
【発明の概要】
【発明が解決しようとする課題】
【０００４】
ところで、色覚機能は年齢と共に低下するので、その低下の度合いを知りたい場合がある。しかしながら、本やカードにカラープリントされている色覚検査表は色が経年変化するおそれがあるので、仮に、ある被検者に対して同じ色覚検査表を使って再検査をしたとしても色覚機能の低下度合いを正確に検査できるとは限らなかった。また、色覚検査は視標の呈示時間と密接に依存し、例え視標を見た瞬間には分からなくても２秒３秒と時間が経てば経つほど眼が慣れて来て視標を視認できるというような特性があるが、上述のような本やカードを利用する場合は、視標の呈示時間は制御できずにばらついてしまい、正確な検査が出来ないという問題もあった。
【０００５】
本発明は、そのような問題を解消する色覚検査装置、制御プログラム、及び前記色覚検査装置の制御方法を提供することを目的とするものである。
【課題を解決するための手段】
【０００６】
請求項１に係る発明は、図１に符号１で例示するものであって、カラーモニター（２）のカラーマッチング処理を行うカラーマッチング手段（３）と、
該カラーマッチング処理が行われたカラーモニター（２）に複数の色覚検査用画像を順次表示させてなる表示工程を少なくとも１つ実施する画像表示制御手段（４）と、
を備え、
該画像表示制御手段（４）は、前記１つの表示工程において前記複数の色覚検査用画像を表示する際に、各色覚検査用画像の表示時間が徐々に長くなるように該表示時間を第１要素として変化させ、或いは、該表示時間を固定にした状態で各色覚検査用画像の色相、明度、彩度、及び、前記色覚検査用画像を背景画像と該背景画像中に表示した視標とにより構成した場合の該背景又は視標の明度の５つの要素の内の１つの要素を第１要素として変化させてなることを特徴とする色覚検査装置に関する。
【０００７】
請求項２に係る発明は、請求項１に係る発明において、前記画像表示制御手段（４）は、前記カラーマッチング処理が行われたカラーモニター（２）に複数の色覚検査用画像を順次表示させてなる第１表示工程（図２の符号Ｓ１参照）、及び該カラーモニター（２）に複数の色覚検査用画像を順次表示させる第２表示工程（図２の符号Ｓ２参照）の少なくとも２つの表示工程を実施し、
該画像表示制御手段（４）は、各表示工程において各色覚検査用画像を表示する際に前記第１要素を変化させ、各色覚検査用画像の色相、明度、彩度、表示時間、及び、前記色覚検査用画像を背景画像と該背景画像中に表示した視標とにより構成した場合の該背景又は視標の明度の６つの要素の内の前記第１要素以外の１つの要素である第２要素を前記第１表示工程（Ｓ１）と前記第２表示工程（Ｓ２）とで段階的に変化させ、該第１要素及び第２要素以外の４つの要素を前記第１表示工程（Ｓ１）及び前記第２表示工程（Ｓ２）に掛けて固定してなることを特徴とする。
【０００８】
請求項３に係る発明は、請求項１又は２に係る発明において、前記画像表示制御手段（４）は、各色覚検査用画像の表示時間を制御する表示時間制御部（５）を有することを特徴とする。
【０００９】
請求項４に係る発明は、請求項１乃至３のいずれか１項に記載の発明において、表示した色覚検査用画像の種類、表示した色覚検査用画像に使用されている色の組み合わせ情報、色覚検査用画像を被検者が認識できたかの結果、及び色覚検査用画像の表示時間を表示する検査結果表示手段（６）、を備えたことを特徴とする。
【００１０】
請求項５に係る発明は、請求項１乃至４のいずれか１項に記載の発明において、複数の色覚検査用画像を保存している画像データ保存手段（７）、を備え、
前記画像表示制御手段（４）は、該画像データ保存手段（７）に保存されている色覚検査用画像を表示することを特徴とする。
【００１１】
請求項６に係る発明は、請求項１乃至４のいずれか１項に記載の発明において、表示すべき色覚検査用画像を作成できる画像作成手段（８）、を備え、
前記画像表示制御手段（４）は、該画像作成手段（８）により作成された色覚検査用画像を表示することを特徴とする。
【００１２】
請求項７に係る発明は、請求項６に係る発明において、複数の色覚検査用画像を保存する画像データ保存手段（７）、を備え、
前記画像データ保存手段（７）には、前記画像作成手段（８）により作成された色覚検査用画像が一時的に保存されることを特徴とする。
【００１３】
請求項８に係る発明は、図３に例示するものであって、請求項１乃至７のいずれか１項に記載の発明において、前記画像表示制御手段（４）は、色覚検査用画像を切り替える間にグレー色の画像を一定時間だけ前記カラーモニター（２）に表示させることを特徴とする。
【００１４】
請求項９に係る発明は、請求項１乃至８のいずれか１項に記載の発明において、被検者群に対して行った色覚検査の検査結果を統計データとして算出する統計データ算出手段（不図示）と、
被検者群から得た複数の統計データを累積データとして保存する累積データ保存手段（不図示）と、
ある被検者に対して行った色覚検査の検査結果を前記累積データと比較するデータ比較手段（不図示）と、を備えたことを特徴とする。
【００１５】
請求項１０に係る発明は、コンピュータ（図１の符号Ｃ参照）を制御する制御プログラムにおいて、
該コンピュータ（Ｃ）を、
カラーモニター（２）のカラーマッチング処理を行うカラーマッチング手段（３）、及び、
該カラーマッチング処理が行われたカラーモニター（２）に複数の色覚検査用画像を順次表示させてなる表示工程を少なくとも１つ実施する画像表示制御手段（４）、
として機能させ、かつ、
該画像表示制御手段（４）が、前記１つの表示工程において前記複数の色覚検査用画像を表示する際に、各色覚検査用画像の表示時間が徐々に長くなるように該表示時間を第１要素として変化させ、或いは、該表示時間を固定にした状態で各色覚検査用画像の色相、明度、彩度、及び、前記色覚検査用画像を背景画像と該背景画像中に表示した視標とにより構成した場合の該背景又は視標の明度の５つの要素の内の１つの要素を第１要素として変化させてなる、ように機能させることを特徴とする。
【００１６】
請求項１１に係る発明は、請求項１０に係る発明において、前記画像表示制御手段（４）は、前記カラーマッチング処理が行われたカラーモニター（２）に複数の色覚検査用画像を順次表示させてなる第１表示工程（Ｓ１）、及び該カラーモニター（２）に複数の色覚検査用画像を順次表示させる第２表示工程（Ｓ２）の少なくとも２つの表示工程を実施し、
該画像表示制御手段（４）は、各表示工程において各色覚検査用画像を表示する際に前記第１要素を変化させ、各色覚検査用画像の色相、明度、彩度、表示時間、及び、前記色覚検査用画像を背景画像と該背景画像中に表示した視標とにより構成した場合の該背景又は視標の明度の６つの要素の内の前記第１要素以外の１つの要素である第２要素を前記第１表示工程（Ｓ１）と前記第２表示工程（Ｓ２）とで段階的に変化させ、該第１要素及び第２要素以外の４つの要素を前記第１表示工程（Ｓ１）及び前記第２表示工程（Ｓ２）に掛けて固定してなるように機能させることを特徴とする。
【００１７】
請求項１２に係る発明は、請求項１０又は１１に係る発明において、被検者群に対して行った色覚検査の検査結果を統計データとして算出する統計データ算出手段（不図示）、
被検者群から得た複数の統計データを累積データとして保存する累積データ保存手段（不図示）、及び、
ある被検者に対して行った色覚検査の検査結果を前記累積データと比較するデータ比較手段（不図示）、として機能させることを特徴とする。
【００１８】
請求項１３に係る発明は、カラーマッチング手段（３）がカラーモニター（２）のカラーマッチング処理を行う工程と、
該カラーマッチング処理が行われたカラーモニター（２）に画像表示制御手段（４）が複数の色覚検査用画像を順次表示させてなる表示工程を少なくとも１つ実施する工程と、
を備え、
該画像表示制御手段（４）は、前記１つの表示工程において前記複数の色覚検査用画像を表示する際に、各色覚検査用画像の表示時間が徐々に長くなるように該表示時間を第１要素として変化させ、或いは、該表示時間を固定にした状態で各色覚検査用画像の色相、明度、彩度、及び、前記色覚検査用画像を背景画像と該背景画像中に表示した視標とにより構成した場合の該背景又は視標の明度の５つの要素の内の１つの要素を第１要素として変化させてなることを特徴とする、色覚検査装置の制御方法に関する。
【００１９】
請求項１４に係る発明は、請求項１３に係る発明において、前記画像表示制御手段（４）は、前記カラーマッチング処理が行われたカラーモニター（２）に複数の色覚検査用画像を順次表示させてなる第１表示工程（Ｓ１）、及び該カラーモニター（２）に複数の色覚検査用画像を順次表示させる第２表示工程（Ｓ２）の少なくとも２つの表示工程を実施し、
該画像表示制御手段（４）は、各表示工程において各色覚検査用画像を表示する際に前記第１要素を変化させ、各色覚検査用画像の色相、明度、彩度、表示時間、及び、前記色覚検査用画像を背景画像と該背景画像中に表示した視標とにより構成した場合の該背景又は視標の明度の６つの要素の内の前記第１要素以外の１つの要素である第２要素を前記第１表示工程（Ｓ１）と前記第２表示工程（Ｓ２）とで段階的に変化させ、該第１要素及び第２要素以外の４つの要素を前記第１表示工程（Ｓ１）及び前記第２表示工程（Ｓ２）に掛けて固定してなることを特徴とする。
【００２０】
請求項１５に係る発明は、請求項１３又は１４に係る発明において、被検者群に対して行った色覚検査の検査結果を統計データ算出手段（不図示）が統計データとして算出する工程と、
被検者群から得た複数の統計データを累積データ保存手段（不図示）が累積データとして保存する工程と、
ある被検者に対して行った色覚検査の検査結果をデータ比較手段（不図示）が前記累積データと比較する工程と、を備えたことを特徴とする。請求項１６に係る発明は、請求項１乃至９のいずれか１項に記載の発明において、前記色覚検査用画像が、文字や、数字や、ランドルト環の図形を背景中に表した画像であることを特徴とする。請求項１７に係る発明は、請求項１０乃至１２のいずれか１項に記載の発明において、前記色覚検査用画像が、文字や、数字や、ランドルト環の図形を背景中に表した画像であることを特徴とする。請求項１８に係る発明は、請求項１３乃至１５のいずれか１項に記載の発明において、前記色覚検査用画像が、文字や、数字や、ランドルト環の図形を背景中に表した画像であることを特徴とする。請求項１９に係る発明は、請求項１乃至９のいずれか１項に記載の発明において、前記色覚検査用画像の表示時間を前記第１要素として変化させるか、前記色覚検査用画像の色相を前記第１要素として変化させるか、前記色覚検査用画像の明度を前記第１要素として変化させるか、前記色覚検査用画像の彩度を前記第１要素として変化させるか、前記背景又は前記視標の明度を前記第１要素として変化させるかが選択可能であることを特徴とする。請求項２０に係る発明は、請求項１０乃至１２のいずれか１項に記載の発明において、前記色覚検査用画像の表示時間を前記第１要素として変化させるか、前記色覚検査用画像の色相を前記第１要素として変化させるか、前記色覚検査用画像の明度を前記第１要素として変化させるか、前記色覚検査用画像の彩度を前記第１要素として変化させるか、前記背景又は前記視標の明度を前記第１要素として変化させるかが選択可能であることを特徴とする。請求項２１に係る発明は、請求項１３乃至１５のいずれか１項に記載の発明において、前記色覚検査用画像の表示時間を前記第１要素として変化させるか、前記色覚検査用画像の色相を前記第１要素として変化させるか、前記色覚検査用画像の明度を前記第１要素として変化させるか、前記色覚検査用画像の彩度を前記第１要素として変化させるか、前記背景又は前記視標の明度を前記第１要素として変化させるかが選択可能であることを特徴とする。
【００２１】
なお、括弧内の番号などは、図面における対応する要素を示す便宜的なものであり、従って、本記述は図面上の記載に限定拘束されるものではない。
【発明の効果】
【００２２】
請求項１、４、５、６、７、１０及び１３に係る発明によれば、カラーマッチング手段によってカラーモニターのカラーマッチング処理を行うので、本やカードにカラープリントされたものと違って色覚検査用画像の経年変化のおそれが無く、その色品質を保持できて、正確な色覚検査ができる。例えば、ある被検者に対して再検査をしたとしても、色覚検査用画像の色品質の経年変化は無いので、年齢に伴う色覚機能低下の度合いを正確に知ることが出来る。
【００２３】
請求項３に係る発明によれば、各色覚検査用画像の表示時間がばらつくことを防止して、検査結果の信頼性を向上させることができる。
【００２４】
請求項９、１２及び１５に係る発明によれば、ある被検者の色覚検査の検査結果を、被検者群の累積データと比較することができ、その新たな被検者の色覚機能の統計的な評価（言い換えれば、被検者群と比べた場合の相対的な評価）をすることができる。
【００２５】
請求項２、１１及び１４に係る発明によれば、第１表示工程にて表示した色覚検査用画像の第２要素と、第２表示工程にて表示した色覚検査用画像の第２要素とは異なるため、その色覚検査結果を比較することで、より詳細な検査結果を得ることができる。
【００２６】
請求項８に係る発明によれば、色覚検査用画像を切り替える間にグレー色の画像を表示するので、前の色覚検査用画像の色刺激の影響が残ってしまうことを低減し（つまり、前の色覚検査用画像に対する色順応の影響を低減し）、より正確な色覚検査を行うことができる。
【図面の簡単な説明】
【００２７】
【図１】図１は、本発明に係る色覚検査装置の構成の一例を示すブロック図である。
【図２】図２は、色覚検査用画像の表示方法の一例を示すフローチャート図である。
【図３】図３は、色覚検査用画像の表示方法の他の例を示すフローチャート図である。
【発明を実施するための形態】
【００２８】
以下、図１乃至図３に沿って、本発明の実施の形態について説明する。
【００２９】
本発明に係る色覚検査装置は、複数の色覚検査用画像を順次切り替えながらカラーモニターに表示させるための装置である。この色覚検査用画像としては、
・  石原式色覚検査表に掲載されているような画像や、
・  何らかの視標（文字や、数字や、ランドルト環などの図形等）を背景の中に表わした画像
等を挙げることができる。また、カラーモニターとしては、液晶ディスプレイを挙げることができるが、他の方式のモニター（例えば、ＣＲＴやプラズマディスプレイなどの公知の方式のモニター）を除外するものでは無い。なお、このカラーモニターに外光（太陽光や室内光等）が当たってしまうと画像の色がその外光の影響を受けて変動してしまうおそれがあるので、カラーモニターへの外光を遮断できるようにすると良い。例えば、
・  カラーモニター専用の市販の遮光フード（例えば、株式会社ナナオ製の“ＣＨ２”、“ＣＨ３”、“ＣＨ４”）を用いたり、
・  外光を遮断できる何らかの遮光ケースの中にカラーモニターを配置しておいて、被検者は覗き窓からカラーモニターを視認するようにしたり、
すると良い。
【００３０】
本発明に係る色覚検査装置は、図１に符号１で例示するものであって、
・  カラーモニター２のカラーマッチング処理を行うカラーマッチング手段３と、
・  該カラーマッチング処理が行われたカラーモニター２に複数の色覚検査用画像を順次表示させてなる表示工程を少なくとも１つ実施する画像表示制御手段４と、
を備えている。そして、該画像表示制御手段４は、前記１つの表示工程において複数の色覚検査用画像を表示する際に、
・  各色覚検査用画像の色相
・  各色覚検査用画像の明度
・  各色覚検査用画像の彩度
・  各色覚検査用画像の表示時間
・  前記色覚検査用画像を背景画像（任意の色の背景画像）と該背景画像中に表示した視標とにより構成した場合の該背景又は視標の明度
の６つの要素の内のいずれか１つの要素（本明細書において“第１要素”とする）を変化させ（つまり、該表示工程において表示される各色覚検査用画像の第１要素を変化させ）、かつ、該第１要素以外の５つの要素を固定してなるように構成されている。なお、色覚検査において、背景画像と該背景画像中に表示した視標とにより構成した色覚検査用画像を用いない場合には、各色覚検査用画像の色相、明度、彩度及び表示時間の４つの要素の内の１つ（第１要素）を変化させ、残りの３つの要素を固定すると良い。ここで、カラーマッチング処理とは、カラーモニターが表示する色に経時的変化が起きないように色の同一性を保持するための処理をいう。また、上述のカラーマッチング手段３は、カラーモニター２が表示した色を検知して数値化するセンサー部（不図示）と、該センサー部からの数値を使ったフィードバック制御によりカラーモニター２が表示する色を校正する色校正部（不図示）と、により構成すると良い。なお、このカラーマッチング処理を行うタイミングは色覚検査前が理想であるが、その処理には数分程度かかるため、色覚検査前ではなく色覚検査後としても良い。例えば、カラーモニターの仕様で、２００時間ごとにマッチング処理を施すことが推奨されているような場合は、
・  前回のマッチング処理からの使用時間が１５０時間を超えていて、
・  色覚検査が終了して“電源オフ”の操作がされたときには、
前記カラーマッチング処理を自動的に開始し、該処理終了後に電源を自動的にオフするようにすると良い。一方、色覚検査用画像の明度や背景画像の明度を第１要素として変化させる場合には明度を連続的に変化させる必要はなく（例えば、最初に表示する画像を最も暗くし、徐々に明るい画像を表示していくというような必要はなく）、明度は自由に変化させれば良い。色覚検査用画像の彩度や色相を第１要素として変化させる場合も同様であって、連続的に変化させる必要はなく自由に変化させれば良い。しかし、色覚検査用画像の表示時間を第１要素として変化させる場合には、最初に表示する色覚検査用画像の表示時間を最も短くしておき、それ以降に表示する各色覚検査用画像の表示時間を徐々に長くしていく必要がある。
【００３１】
本発明によれば、カラーモニター２のカラーマッチング処理を行うカラーマッチング手段３を備えているので、本やカードにカラープリントされたものと違って色覚検査用画像の経年変化のおそれが無く、その色品質を保持できて正確な色覚検査ができる。例えば、ある被検者に対して何ヶ月か何年か経過後に再検査をしたとしても、カラープリントされたもののような色覚検査用画像の色品質の経年変化は無いので、年齢に伴う色覚機能低下の度合いを正確に知ることが出来る。
【００３２】
ところで、前記画像表示制御手段４は上述のような表示工程を少なくとも２つ実施しても良い。すなわち、前記画像表示制御手段４は、
・  前記カラーマッチング処理が行われたカラーモニター２に複数の色覚検査用画像を順次表示させてなる第１表示工程（図２の符号Ｓ１参照）、及び
・  前記カラーモニター２に複数の色覚検査用画像を順次表示させる第２表示工程（図２の符号Ｓ２参照）
の少なくとも２つの表示工程を実施するようにしても良い。そして、該画像表示制御手段４は、
・  各表示工程Ｓ１，Ｓ２において各色覚検査用画像を表示する際に前記第１要素を変化させ、
・  該第１要素以外のいずれか１つの要素（本明細書において“第２要素”とする）を前記第１表示工程Ｓ１と前記第２表示工程Ｓ２とで段階的に変化させ（つまり、前記第１表示工程Ｓ１においては第２要素を一定の値に固定し、前記第２表示工程Ｓ２においては第２要素を別の値で固定し）、
・  該第１要素及び第２要素以外の４つの要素を前記第１表示工程Ｓ１及び前記第２表示工程Ｓ２に掛けて固定してなる、
ようにすると良い。なお、色覚検査において、背景画像と該背景画像中に表示した視標とにより構成した色覚検査用画像を用いない場合には、
・  各色覚検査用画像の色相、明度、彩度及び表示時間の４つの要素の内の１つ（第１要素）を、各表示工程において各色覚検査用画像を表示する際に変化させ、
・  該第１要素以外のいずれか１つの要素（第２要素）を前記第１表示工程Ｓ１と前記第２表示工程Ｓ２とで段階的に変化させ（つまり、前記第１表示工程Ｓ１においては一定の値に固定し、前記第２表示工程Ｓ２においては別の値で固定し）、
・  該第１要素及び第２要素以外の２つの要素を前記第１表示工程Ｓ１及び前記第２表示工程Ｓ２に掛けて固定してなる、
ようにすると良い。そのようにした場合には、第１表示工程Ｓ１にて表示した色覚検査用画像の第２要素と、第２表示工程Ｓ２にて表示した色覚検査用画像の第２要素とは異なるため、その色覚検査結果を比較することで、より詳細な検査結果を得ることができる。なお、図２では表示工程を２つとしているが、もちろんこれに限られるものではなく、表示工程を３つ以上としても良い。
【００３３】
この場合、前記画像表示制御手段４に、各色覚検査用画像の表示時間を制御する表示時間制御部５を設けておくと良い。これにより、各色覚検査用画像の表示時間がばらつくことを防止して、検査結果の信頼性を向上させることができる。
【００３４】
また、検査結果表示手段６を設けておいて、
・  色覚検査用画像を被検者が認識できたかの結果や、
・  表示した色覚検査用画像の種類や、
・  表示した色覚検査用画像に使用されている色の組み合わせ情報や、
・  色覚検査用画像の表示時間
を表示するようにすると良い。前記検査結果表示手段６による検査結果の表示はカラーモニター２に行うようにしても、或いは印刷するようにしてもどちらでも良い。
【００３５】
さらに、複数の色覚検査用画像を保存している画像データ保存手段７、を設けておいて、前記画像表示制御手段４は、該画像データ保存手段７に保存されている色覚検査用画像を表示するようにすると良い。またさらに、表示すべき色覚検査用画像を検者が作成できる画像作成手段８、を設けておいて、前記画像表示制御手段４は、該画像作成手段８により作成された色覚検査用画像を表示するようにしても良い。なお、この画像作成手段８への検者による指示（視標の形や大きさや色等の指示）は、スイッチや押しボタンやユーザーインターフェース（モニター画面上に表示されるユーザーインターフェース）により行うようにすると良い。また、この画像作成手段８により作成した色覚検査用画像は、前記画像データ保存手段７に一時保存され、その後、前記画像表示制御手段４によって表示されるようにすると良い。
【００３６】
この場合、ジョイスティックやキーボード等の応答手段９を設けておいて、
・  色覚検査用画像を認識した結果を被検者自身が入力するか、
・  色覚検査用画像を認識した結果を被検者が口頭で答え、それを検者が入力するか、
の方法を採るようにすると良い。
【００３７】
一方、図３に示すように、前記画像表示制御手段４は、色覚検査用画像を切り替える間（つまり、一の色覚検査用画像の表示が終わって次の色覚検査用画像の表示が始るまでの一定時間）にグレー色の画像を前記カラーモニター２に表示させると良い。そのようにした場合には、前の色覚検査用画像の色刺激の影響が残ってしまうことを低減し（つまり、前の色覚検査用画像に対する色順応の影響を低減し）、より正確な色覚検査を行うことができる。
【００３８】
また、本発明に係る色覚検査装置１には、
・  複数の被検者（以下、“被検者群”とする。）に対して行った色覚検査の検査結果を統計データとして算出する統計データ算出手段（不図示）と、
・  被検者群から得た複数の統計データ（例えば、２０歳代の被検者群から得た統計データ、３０歳代の被検者群から得た統計データ、及び４０歳代の被検者群から得た統計データ等）を累積データとして保存する累積データ保存手段（不図示）と、
・  ある被検者に対して行った色覚検査の検査結果を前記累積データと比較するデータ比較手段（不図示）と、
を設けておくと良い。これにより、ある被検者の色覚検査の検査結果を、被検者群の累積データと比較することができ、その新たな被検者の色覚機能の統計的な評価（言い換えれば、被検者群と比べた場合の相対的な評価）をすることができる。
【００３９】
また一方、本発明に係る制御プログラムは、コンピュータ（図１の符号Ｃ参照）を制御するプログラムであって、該コンピュータＣを、
・  カラーモニター２のカラーマッチング処理を行うカラーマッチング手段３、及び、
・  該カラーマッチング処理が行われたカラーモニター２に複数の色覚検査用画像を順次表示させてなる表示工程を少なくとも１つ実施する画像表示制御手段４、
として機能させ、かつ、
・  該画像表示制御手段４が、前記１つの表示工程において前記複数の色覚検査用画像を表示する際に、各色覚検査用画像の色相、明度、彩度、表示時間、及び、前記色覚検査用画像を背景画像（任意の色の背景画像）と該背景画像中に表示した視標とにより構成した場合の該背景又は視標の明度の６つの要素の内のいずれか１つの要素（第１要素）を変化させ、該第１要素以外の５つの要素を固定してなる、
ように機能させることを特徴とするプログラムである。なお、色覚検査において、背景画像と該背景画像中に表示した視標とにより構成した色覚検査用画像を用いない場合には、各色覚検査用画像の色相、明度、彩度及び表示時間の４つの要素の内の１つ（第１要素）を変化させ、残りの３つの要素を固定すると良い。
【００４０】
この場合、前記画像表示制御手段４は、前記カラーマッチング処理が行われたカラーモニター２に複数の色覚検査用画像を順次表示させてなる第１表示工程Ｓ１、及び該カラーモニターに複数の色覚検査用画像を順次表示させる第２表示工程Ｓ２の少なくとも２つの表示工程を実施するようにすると良い。そして、該画像表示制御手段４は、各表示工程Ｓ１，Ｓ２において各色覚検査用画像を表示する際に前記第１要素を変化させ、該第１要素以外のいずれか１つの要素（第２要素）を前記第１表示工程Ｓ１と前記第２表示工程Ｓ２とで段階的に変化させ（つまり、前記第１表示工程Ｓ１においては第２要素を一定の値に固定し、前記第２表示工程Ｓ２においては第２要素を別の値で固定し）、該第１要素及び第２要素以外の４つの要素を前記第１表示工程Ｓ１及び前記第２表示工程Ｓ２に掛けて固定してなるように機能させると良い。なお、色覚検査において、背景画像と該背景画像中に表示した視標とにより構成した色覚検査用画像を用いない場合には、
・  各色覚検査用画像の色相、明度、彩度及び表示時間の４つの要素の内の１つ（第１要素）を、各表示工程において各色覚検査用画像を表示する際に変化させ、
・  該第１要素以外のいずれか１つの要素（第２要素）を前記第１表示工程Ｓ１と前記第２表示工程Ｓ２とで段階的に変化させ（つまり、前記第１表示工程Ｓ１においては一定の値に固定し、前記第２表示工程Ｓ２においては別の値で固定し）、
・  該第１要素及び第２要素以外の２つの要素を前記第１表示工程Ｓ１及び前記第２表示工程Ｓ２に掛けて固定してなる、
ようにすると良い。
【００４１】
また、前記プログラムを、
・  被検者群に対して行った色覚検査の検査結果を統計データとして算出する統計データ算出手段、
・  被検者群から得た複数の統計データを累積データとして保存する累積データ保存手段、及び、
・  ある被検者に対して行った色覚検査の検査結果を前記累積データと比較するデータ比較手段、
としても機能させると良い。これにより、その新たな被検者について、被検者群と比べた場合の相対的な評価をすることができる。
【００４２】
一方、本発明に係る色覚検査装置の制御方法は、カラーマッチング手段３がカラーモニター２のカラーマッチング処理を行う工程と、
該カラーマッチング処理が行われたカラーモニター２に画像表示制御手段４が複数の色覚検査用画像を順次表示させてなる表示工程を少なくとも１つ実施する工程と、
を備え、
該画像表示制御手段４は、前記１つの表示工程において前記複数の色覚検査用画像を表示する際に、各色覚検査用画像の色相、明度、彩度、表示時間、及び、前記色覚検査用画像を背景画像（任意の色の背景画像）と該背景画像中に表示した視標とにより構成した場合の該背景又は視標の明度の６つの要素の内の１つの要素（第１要素）を変化させ、該第１要素以外の５つの要素を固定してなることを特徴とする。なお、色覚検査において、背景画像と該背景画像中に表示した視標とにより構成した色覚検査用画像を用いない場合には、各色覚検査用画像の色相、明度、彩度及び表示時間の４つの要素の内の１つ（第１要素）を変化させ、残りの３つの要素を固定すると良い。
【００４３】
この場合、前記画像表示制御手段は、前記カラーマッチング処理が行われたカラーモニターに複数の色覚検査用画像を順次表示させてなる第１表示工程Ｓ１、及び該カラーモニターに複数の色覚検査用画像を順次表示させる第２表示工程Ｓ２の少なくとも２つの表示工程を実施し、
該画像表示制御手段は、各表示工程において各色覚検査用画像を表示する際に前記第１要素を変化させ、該第１要素以外のいずれか１つの要素（第２要素）を前記第１表示工程Ｓ１と前記第２表示工程Ｓ２とで段階的に変化させ、該第１要素及び第２要素以外の４つの要素を前記第１表示工程Ｓ１及び前記第２表示工程Ｓ２に掛けて固定してなるようにすると良い。なお、色覚検査において、背景画像と該背景画像中に表示した視標とにより構成した色覚検査用画像を用いない場合には、
・  各色覚検査用画像の色相、明度、彩度及び表示時間の４つの要素の内の１つ（第１要素）を、各表示工程において各色覚検査用画像を表示する際に変化させ、
・  該第１要素以外のいずれか１つの要素（第２要素）を前記第１表示工程Ｓ１と前記第２表示工程Ｓ２とで段階的に変化させ（つまり、前記第１表示工程Ｓ１においては一定の値に固定し、前記第２表示工程Ｓ２においては別の値で固定し）、
・  該第１要素及び第２要素以外の２つの要素を前記第１表示工程Ｓ１及び前記第２表示工程Ｓ２に掛けて固定してなる、
ようにすると良い。
【００４４】
また、上述の工程以外に、
・  被検者群に対して行った色覚検査の検査結果を統計データ算出手段が統計データとして算出する工程と、
・  被検者群から得た複数の統計データを累積データ保存手段が累積データとして保存する工程と、
・  ある被検者に対して行った色覚検査の検査結果をデータ比較手段が前記累積データと比較する工程と、
を設けても良い。これにより、その新たな被検者について、被検者群と比べた場合の相対的な評価をすることができる。
【符号の説明】
【００４５】
１              色覚検査装置
２              カラーモニター
３              カラーマッチング手段
４              画像表示制御手段
５              表示時間制御部
６              検査結果表示手段
７              画像データ保存手段
８              画像作成手段
Ｃ              コンピュータ
Ｓ１            第１表示工程
Ｓ２            第２表示工程
【図１】
0005646870.tif 000002
【図２】
0005646870.tif 000003
【図３】
0005646870.tif 000004